(57)【要約】      （修正有）【課題】プールの水質汚濁、漏電を防ぐことが可能なプール内に配置される水上ショー用の昇降舞台を提供する。【解決手段】プールは、プールの底部の上方に位置する貯水のための水空間２と、プールの底部の下方に位置するメンテナンス要員のアクセスおよび設備の据え付けのための基礎ピット３とを含む。昇降舞台は、基礎ピット３内に配置された作動機構４と、水空間２内に配置された舞台機構５と、プールの底部を貫通して作動機構４および舞台機構５に接続している昇降ロッド６とを含む。昇降舞台は、作動機構４をプール下方の乾いた基礎ピット３内に配置して、作動機構４が水と接触するのを防ぎ、したがって、水中への油圧の油の漏出による水質汚染、または、水中での電気使用によってもたらされる水中での漏電に関する潜在的な安全上の危険性が排除される。【選択図】図１
2014050683.tif 000002
【特許請求の範囲】
【請求項１】
プール内に配置される水上ショー用の昇降舞台であって、前記プールが、前記プールの底部の上方に位置する貯水のための水空間と、前記プールの前記底部の下方に位置するメンテナンス要員のアクセスおよび設備の据え付けのための基礎ピットとを含み、前記昇降舞台が、前記基礎ピット内に配置された作動機構と、前記水空間内に配置された舞台機構と、前記プールの前記底部を貫通して前記作動機構および前記舞台機構に接続している昇降ロッドとを含み、
前記舞台機構が、プラットホーム本体と、前記プラットホーム本体に接続された支持フレームと、前記支持フレームおよび前記プールの前記底部に接続された案内デバイスとを含み、
前記作動機構が、前記基礎ピットの底部に固定された鋼製案内フレームと、前記鋼製案内フレームに接続され前記鋼製案内フレームに沿って垂直に移動可能な案内フレームと、前記案内フレームに連結された駆動モータとを含み、
前記プールの前記底部が、摺動スリーブが中に配置される中空の通り穴を含み、前記昇降ロッドが、前記摺動スリーブを貫通して、前記支持フレームおよび前記案内フレームのそれぞれに接続する、昇降舞台。
【請求項２】
前記摺動スリーブが、前記水空間内に位置決めされた第１の摺動スリーブ、および前記基礎ピット内に位置決めされた第２の摺動スリーブを含み、前記第１の摺動スリーブが、第１の密閉組立体を介して前記プールの前記底部の上面に接続され、前記第２の摺動スリーブが、第２の密閉組立体を介して前記プールの前記底部の下面に接続され、
前記第１の密閉組立体が、ボルトによって互いに連続的に接続された、第１の基部、第１の支持部材、および第１の位置決め部材を含み、前記第１の基部が、ボルトによって前記プールの前記底部の前記上面にしっかりと接続され、
前記第１の摺動スリーブが、ボルトによって互いに連続的に接続された、第１の摺動スリーブカバー、第１のストッパ、および第１の密閉パッドを含み、前記第１の摺動スリーブカバーが、ボルトによって前記第１の位置決め部材にしっかりと接続され、前記第１の摺動スリーブカバーと前記昇降ロッドとの間に、第１の密閉部材が配置され、
前記第２の密閉組立体が、ボルトによって互いに連続的に接続された、第２の基部、第２の支持部材、および第２の位置決め部材を含み、前記第２の基部が、ボルトによって前記プールの前記底部の前記下面にしっかりと接続され、前記第２の密閉組立体が調整部材をさらに含み、前記第２の位置決め部材および前記第２の支持部材が、前記調整部材を挟持し、
前記第２の摺動スリーブが、ボルトによって互いに連続的に接続された、第２の摺動スリーブカバー、および第２のストッパを含み、前記第２の摺動スリーブカバーが、ボルトによって前記調整部材にしっかりと接続され、前記第２の摺動スリーブカバーと前記昇降ロッドとの間に、第２の密閉部材が配置される、請求項１に記載の昇降舞台。
【請求項３】
前記第１の密閉組立体と前記第２の密閉組立体との間にスリーブが配置され、前記スリーブが、前記昇降ロッドの外側、前記第１の摺動スリーブカバー、および前記第２の摺動スリーブカバーを覆う、請求項２に記載の昇降舞台。
【請求項４】
前記第２の摺動スリーブカバーが、水を引き抜くための引入口を有し、前記引入口が、前記第２の密閉部材より低い位置に接続されている、請求項２に記載の昇降舞台。
【請求項５】
前記第２の基部上に位置決めブロックが配置され、前記位置決めブロック上に位置決めボルトが配置されて前記第２の位置決め部材に当接する、請求項２に記載の昇降舞台。
【請求項６】
前記第１の摺動スリーブカバーと前記昇降ロッドとの間に、少なくとも２つの密閉リングが配置され、前記第１のストッパと前記昇降ロッドとの間に、少なくとも１つの密閉リングが配置され、前記第２の摺動スリーブカバーと前記昇降ロッドとの間に、少なくとも２つの密閉リングが配置される、請求項２に記載の昇降舞台。
【発明の詳細な説明】
【技術分野】
【０００１】
本発明は昇降舞台に関し、より詳細には、水上ショー用の昇降舞台に関する。
【背景技術】
【０００２】
現代のショーでは、場面をショーに合わせることが求められ、また、場面を迅速に変更および移動させることが求められる。したがって、水上ショーが行われる場合、水面下の舞台装置を移動させて観衆の視界の範囲内に位置させるために、水中の昇降舞台が必要とされる。すなわち、昇降舞台は、演者のために水面の上方に舞台を提供するために、ショーによって要求される通りに水面まで上昇する必要がある。
【０００３】
現在使用可能な国内および海外の昇降舞台では、伝達機構は一般に水中に配置され、そのほとんどが油圧駆動のものである。そのような伝達機構は、以下の潜在的な危険性を有する。
１．油圧の油の漏出によって水が汚染される可能性があり、これはさらにショーの上演を中止させる可能性がある。
２．既存の昇降システムでは、伝達機構が水中に配置されるので、水中で電気が使用される場合がある。一部の昇降システムは、水と電気を絶縁するための完全なシステムがいまだに欠けている。たとえ駆動機構が水の外に配置されていたとしても、駆動機構が水中の伝達機構に力を伝達する際に、万一水と電気を絶縁するためのシステムが機能しない場合には、水中での漏電に関する潜在的な危険性がなおもあり得る。
３．伝達機構が水中に配置される場合、潤滑媒体の漏出および材料の腐食に関する問題がある。潤滑媒体の漏出は、水を汚染することになる。また、材料の腐食が適切に解決されていない場合、伝達部材が錆び付いてその構造強さが低下する可能性があり、それにより、潜在的な安全上の危険性がもたらされる。したがって、伝達機構を修理する必要があり、それにより、ショーの上演を中止しなくてはならない場合がある。
【発明の概要】
【発明が解決しようとする課題】
【０００４】
本発明は、前述の問題を軽減または回避することができる水上ショー用の昇降舞台を提供する。
【課題を解決するための手段】
【０００５】
上述の問題を解決するために、本発明は、プール内に配置される水上ショー用の昇降舞台を提供する。プールは、プールの底部の上方に位置する貯水のための水空間と、プールの底部の下方に位置するメンテナンス要員のアクセスおよび設備の据え付けのための基礎ピットとを含み、昇降舞台は、基礎ピット内に配置された作動機構と、水空間内に配置された舞台機構と、プールの底部を貫通して作動機構および舞台機構に接続している昇降ロッドとを含み、
舞台機構は、プラットホーム本体と、プラットホーム本体に接続された支持フレームと、支持フレームおよびプールの底部に接続された案内デバイスとを含み、
作動機構は、基礎ピットの底部に固定された鋼製案内フレームと、鋼製案内フレームに接続され鋼製案内フレームに沿って垂直に移動可能な案内フレームと、案内フレームに連結された駆動モータとを含み、
プールの底部は、摺動スリーブが中に配置される中空の通り穴と、摺動スリーブを貫通して支持フレームおよび案内フレームのそれぞれに接続されている昇降ロッドとを含む。
【０００６】
摺動スリーブが、水空間内に位置決めされた第１の摺動スリーブ、および基礎ピット内に位置決めされた第２の摺動スリーブを含み、第１の摺動スリーブが、第１の密閉組立体を介してプールの底部の上面に接続され、第２の摺動スリーブが、第２の密閉組立体を介してプールの底部の下面に接続され、
第１の密閉組立体が、ボルトによって互いに連続的に接続された、第１の基部、第１の支持部材、および第１の位置決め部材を含み、第１の基部が、ボルトによってプールの底部の上面にしっかりと接続され、
第１の摺動スリーブが、ボルトによって互いに連続的に接続された、第１の摺動スリーブカバー、第１のストッパ、および第１の密閉パッドを含み、第１の摺動スリーブカバーが、ボルトによって第１の位置決め部材にしっかりと接続され、第１の摺動スリーブカバーと昇降ロッドとの間に、第１の密閉部材が配置され、
第２の密閉組立体が、ボルトによって互いに連続的に接続された、第２の基部、第２の支持部材、および第２の位置決め部材を含み、第２の基部が、ボルトによってプールの底部の下面にしっかりと接続され、第２の密閉組立体が調整部材をさらに含み、第２の位置決め部材および第２の支持部材が、調整部材を挟持し、
第２の摺動スリーブが、ボルトによって互いに接続された、第２の摺動スリーブカバー、および第２のストッパを含み、第２の摺動スリーブカバーが、ボルトによって調整部材にしっかりと接続され、第２の摺動スリーブカバーと昇降ロッドとの間に、第２の密閉部材が配置されることが好ましい。
【０００７】
第１の密閉組立体と第２の密閉組立体との間にスリーブが配置され、スリーブが、昇降ロッドの外側、第１の摺動スリーブカバー、および第２の摺動スリーブカバーを覆うことが好ましい。
【０００８】
第２の摺動スリーブカバーが、水を引き抜くための引入口を有し、この引入口が第２の密閉部材より低い位置に接続されていることが好ましい。
【０００９】
第２の基部上に位置決めブロックが設けられ、位置決めブロック上に位置決めボルトが配置されて第２の位置決め部材に当接することが好ましい。
【００１０】
第１の摺動スリーブカバーと昇降ロッドとの間に、少なくとも２つの密閉リングが配置され、第１のストッパと昇降ロッドとの間に、少なくとも１つの密閉リングが配置され、第２の摺動スリーブカバーと昇降ロッドとの間に、少なくとも２つの密閉リングが配置されることが好ましい。
【００１１】
本発明において提供される水上ショー用の昇降舞台は、プール下方の乾いた基礎ピット内に駆動機構および伝達機構を配置して、駆動機構および伝達機構が水と接触するのを防ぎ、したがって、水中への油圧の油の漏出による水質汚染、または、水中での電気使用によってもたらされる水中での漏電に関する潜在的な安全上の危険性が排除される。さらに、本明細書において提供される水上ショー用の昇降舞台は、単純な構造の昇降ロッドを使用することのみによって、乾いた基礎ピットとプールの水空間との間で力を伝達しており、したがって、水中に伝達機構を配置することによってもたらされる潤滑媒体の漏出および材料の腐食に関する問題が回避される。
【００１２】
以下の図面は、単に本発明を例示および説明することを意図したものであり、本発明の範囲を限定することを意図したものではない。
【図面の簡単な説明】
【００１３】
【図１】本発明の特定の実施形態による水上ショー用の昇降舞台の構造図である。
【図２】図１に示されている昇降舞台の部分Ａの拡大断面図である。
【図３】図２に示されている昇降舞台の第１の摺動スリーブの部分拡大断面図である。
【図４】図２に示されている昇降舞台の第２の摺動スリーブの部分拡大断面図である。
【発明を実施するための形態】
【００１４】
本発明の技術的特徴、目的、および効果のより良い理解のために、図面を参照しながら、本発明の特定の実施形態を例示する。同一の部品は、同一の参照番号で表される。
【００１５】
本発明による水上ショー用の昇降舞台の構造および原理を、図面を参照しながら以下に詳細に説明する。
【００１６】
図１は、本発明の特定の実施形態による水上ショー用の昇降舞台の構造図である。図１を参照すると、本発明は、プール内に配置される水上ショー用の昇降舞台を提供する。プールは、プールの底部１の上方に位置する貯水のための水空間２と、プールの底部１の下方に位置するメンテナンス要員のアクセスおよび設備の据え付けのための基礎ピット３とを含む。昇降舞台は、基礎ピット内に配置された作動機構４と、水空間内に配置された舞台機構５と、プールの底部を貫通して作動機構４および舞台機構５に接続している昇降ロッド６とを含む。
【００１７】
舞台機構５は、プラットホーム本体５１と、プラットホーム本体５１に接続された支持フレーム５２と、支持フレーム５２およびプールの底部１のそれぞれに接続された案内デバイス５３とを含む。
【００１８】
作動機構４は、基礎ピット３の底部に固定された鋼製案内フレーム４１と、鋼製案内フレーム４１に接続され鋼製案内フレーム４１に沿って垂直に移動可能な案内フレーム４２と、案内フレーム４２に連結された駆動モータ４３とを含む。
【００１９】
プールの底部１は、摺動スリーブが中に設けられる中空の通り穴を有し、昇降ロッド６はこの摺動スリーブを貫通して、支持フレーム５２および案内フレーム４２のそれぞれに接続される。
【００２０】
昇降舞台の作動機構４は、プール下方の乾いた基礎ピット３内に配置されて、駆動機構および伝達機構が水と接触するのを防ぎ、したがって、水中への油圧の油の漏出による水質汚染、または、水中での電気使用によってもたらされる水中での漏電に関する潜在的な安全上の危険性が排除される。昇降ロッド６は、ステンレス鋼パイプとすることができる。このようにして、単純な構造のステンレス鋼パイプを使用することによってのみ、昇降舞台は乾いた基礎ピット３とプールの水空間２との間で力を伝達し、したがって、潤滑媒体の漏出および水中に伝達機構を配置することによりもたらされる材料の腐食に関する問題が回避される。
【００２１】
プラットホーム本体５１は、ショー中に演者および舞台装置を支持するために、水から隆起するように使用される。支持フレーム５２は、プラットホーム本体５１に十分な構造強さの支持を提供する。上演がないときには、支持フレーム５２およびプラットホーム本体５１は、昇降ロッド６を下げることにより、プールの底部１まで降下させることができ、その結果、水空間２を占めるスペースが減少し、したがって、水泳用プールまたは潜水用プールとしてのプールの用途、およびプールの他の用途に影響を与えることがない。案内デバイス５３は、折り畳み可能な金属製フレームの１つまたは複数の群とすることができ、この案内デバイス５３は、昇降および使用の過程において支持フレーム５２およびプラットホーム本体５１が横方向に移動しないことを確実にするために使用される。
【００２２】
案内フレーム４２は、昇降ロッド６が支持フレーム５２およびプラットホーム本体５１を支持して垂直に移動することができるように、駆動モータ４３の駆動を受けて鋼製案内フレーム４１に沿って垂直に移動することができる。駆動モータ４３は、基礎ピットの底部に固定させるかまたは鋼製案内フレーム４１に固定させて、柔軟に据え付けることができる。また、駆動モータ４３は、ブレーキ、逆転減速機、および伝動軸などのアセンブリを設定することによって案内フレーム４２の運動を促進するように、案内フレーム４２に接続されていてもよい。
【００２３】
より低力の駆動モータ４３でも案内フレーム４２の運動を促進するための要求を満たすことができるように、案内フレーム４２に接続された重量釣合わせ組立体を、鋼製案内フレーム４１上に配置することができる。
【００２４】
図２は、図１に示されている昇降舞台の部分Ａの拡大断面図である。図３は、図２に示されている昇降舞台の第１の摺動スリーブの部分拡大断面図である。図４は、図２に示されている昇降舞台の第２の摺動スリーブの部分拡大断面図である。図２〜図４を参照すると、好ましい実施形態において、摺動スリーブは、水空間内に配置された第１の摺動スリーブ７と、基礎ピットに配置された第２の摺動スリーブ８とを含む。第１の摺動スリーブ７は、第１の密閉組立体９を介してプールの底部１の上面に接続されており、第２の摺動スリーブ８は、第２の密閉組立体１０を介してプールの底部１の下面に接続されている。
【００２５】
第１の密閉組立体９は、ボルトによって互いに連続的に接続された第１の基部９１、第１の支持部材９２、および第１の位置決め部材９３を含む。第１の基部９１は、ボルトによってプールの底部１の上面にしっかりと接続されている。
【００２６】
第１の摺動スリーブ７は、ボルトによって互いに連続的に接続された第１の摺動スリーブカバー７１、第１のストッパ７２、および第１の密閉パッド７３を含む。第１の摺動スリーブカバー７１は、ボルトによって第１の位置決め部材９３にしっかりと接続されており、第１の摺動スリーブカバー７１と昇降ロッド６の間に、第１の密閉部材７４が配置されている。
【００２７】
第２の密閉組立体１０は、ボルトによって互いに連続的に接続された第２の基部１０１、第２の支持部材１０２、および第２の位置決め部材１０３を含む。第２の基部１０１は、ボルトによってプールの底部１の下面にしっかりと接続されている。第２の密閉組立体１０はさらに調整部材１０４を含み、第２の位置決め部材１０３および第２の支持部材１０２が、この調整部材１０４を挟持する。
【００２８】
第２の摺動スリーブ８は、ボルトによって互いに連続的に接続された第２の摺動スリーブカバー８１、および第２のストッパ８２を含み、第２の摺動スリーブカバー８１は、ボルトによって調整部材１０４にしっかりと接続されている。第２の摺動スリーブカバー８１と昇降ロッド６の間に、第２の密閉部材８３が配置されている。
【００２９】
摺動スリーブは、水空間内に配置された第１の摺動スリーブ７、および基礎ピットに配置された第２の摺動スリーブ８を含む。第１の摺動スリーブ７は、第１の密閉組立体９を介して、プールの底部１の上面に接続されている。第２の摺動スリーブ８は、第２の密閉組立体１０を介して、プールの底部１の下面に接続されている。そのように構成することにより、昇降舞台のメンテナンスおよびオーバーホール中にプール内の水を抜く必要がなくなりながらも、摺動スリーブまたは密閉組立体を交換することが可能になる。したがって、メンテナンスおよび修復にかかる費用を大幅に削減することができる。
【００３０】
第１の基部９１および第２の基部１０１の内径は、対応する摺動スリーブまたは密閉組立体を据え付けるために、プールの底部１にある中空の通り穴の内径と一致させることができる。第１の基部９１および第２の基部１０１は、それらの外周に沿って均一に分布したボルトにより、プールの底部１にしっかりと接続することができる。
【００３１】
第１の支持部材９２および第２の支持部材１０２は、対応するスリーブを組立工程において操作が容易な作動位置に置くことができるようにするために、対応する摺動スリーブの据え付け位置を調整するために使用される。
【００３２】
プールの底部１にある中空の通り穴の直径を一定に保つと、第１の位置決め部材９３および第２の位置決め部材１０３により、様々な直径の昇降ロッド６および対応する摺動スリーブを、プールの底部１に据え付けることができる。
【００３３】
第１の摺動スリーブカバー７１および第２の摺動スリーブカバー８１は、それぞれ、第１の密閉部材７４および第２の密閉部材８３を昇降ロッド６に押しつける。このようにして、昇降ロッド６が昇降しているときに水空間２内の水が基礎ピット３に漏出するのを防ぐことができる。第１のストッパ７２および第２のストッパ８２は、それぞれ、第１の摺動スリーブカバー７１および第２の摺動スリーブカバー８１と協働し、その結果、第１の密閉部材７４および第２の密閉部材８３の位置が制限され、また、第１の摺動スリーブカバー７１および第２の摺動スリーブカバー８１が昇降ロッド６の昇降過程中にそれらの作動位置から逸脱することが防止される。第１の摺動スリーブカバー７１および第２の摺動スリーブカバー８１が逸脱すると、水空間２内の水が基礎ピット３に漏れ出す可能性がある。
【００３４】
第１の密閉パッド７３は、第１のストッパ７２の上方に配置される。第１の密閉パッド７３は、水の重量を受けることにより、水空間２内の水が第１の摺動スリーブ７と昇降ロッド６との継目に漏れ出すのをより良く防止することができる。
【００３５】
第２の密閉組立体１０はさらに、調整部材１０４を含む。第２の位置決め部材１０３および第２の支持部材１０２が、調整部材１０４を挟持する。昇降舞台のメンテナンスを行う際に、第２の位置決め部材１０３の位置を調整することにより、調整部材１０４の位置を柔軟に調整することができ、その結果、昇降ロッド６の垂直性を調整することができる。
【００３６】
図２に示されているように、好ましい実施例では、第１の密閉手段９と第２の密閉組立体１０との間にスリーブ６１が配置され、スリーブは、昇降ロッド６の外側、第１の摺動スリーブカバー７１、および第２の摺動スリーブカバー８１を覆う。スリーブ６１は、金属またはプラスチックの蛇腹とすることができる。水空間２内の水が第１の摺動スリーブ７と昇降ロッド６の継目から漏出したときに、スリーブ６１は漏出した水を貯めることができ、また、その水は第２の摺動スリーブ８と昇降ロッド６の継目を通って下方へ漏出することができるので、第２の密閉組立体１０の各構成要素の継目への水の浸入および漏出が回避される。
【００３７】
図２および図４に示されているように、好ましい実施例では、第２の摺動スリーブカバー８１は、水を引き抜くための引入口８１１を有し、この引入口は、第２の密閉部材８３より低い位置に接続されている。第１の摺動スリーブ７と昇降ロッド６の継目から水空間２内の水が漏出した場合、漏出した水は引き続き第２の摺動スリーブ８と昇降ロッド６の継ぎ目から漏出することができるが、このことは、漏出する水が第２の密閉部材８３と昇降ロッド６の継目から漏出することになることを意味する。引入口８１１は、第２の密閉部材８３と昇降ロッド６の継目から漏出する水を、第２の摺動スリーブ８から外へ案内する。さらに、漏出する水をパイプによって回収し、基礎ピット３内で貯水のために使用される水だめへ導入して、作動機構４から遠ざけることができるように、水抜き継手８４を引入口８１１に配置することができる。したがって、作動機構４に対する、水によってもたらされる漏電および腐食に関する潜在的な安全上の危険性を回避することができる。
【００３８】
図２に示されているように、好ましい実施例では、位置決めブロック１０５が第２の基部１０１上に配置され、位置決めボルト１０６が位置決めブロック１０５上に配置されて、第２の位置決め部材１０３に当接する。第２の位置決め部材１０３および第２の支持部材１０２が調整部材１０４を挟持し、したがって、第２の位置決め部材１０３の位置は、位置決めボルト１０６によってより容易に調整することができる。次いで、調整部材１０４の位置を調整することができ、また、それに応じて昇降ロッド６の垂直性を調整することができる。
【００３９】
図２〜図４に示すように、好ましい実施例では、第１の摺動スリーブカバー７１と昇降ロッド６との間に、少なくとも２つの密閉リング６２が配置され、第１のストッパ７２と昇降ロッド６との間に、少なくとも１つの密閉リング６２が配置され、第２の摺動スリーブカバー８１と昇降ロッド６との間に、少なくとも２つの密閉リング６２が配置される。このようにして、第１の摺動スリーブ７または第２の摺動スリーブ８と昇降ロッド６との間の密閉を向上させることができ、昇降ロッド６の昇降中の水空間２から基礎ピット３への水の漏出を減少させることができる。
【００４０】
本発明で提供される水上ショー用の昇降舞台は、プール下方の乾いた基礎ピット内に駆動機構および伝達機構を配置して、駆動機構および伝達機構が水と接触するのを防ぎ、したがって、水中への油圧の油の漏出による水質汚染、または、水中での電気使用によってもたらされる水中での漏電に関する潜在的な安全上の危険性が排除される。さらに、本明細書において提供される水上ショー用の昇降舞台は、単純な構造の昇降ロッドを使用することによってのみ、乾いた基礎ピットとプールの水空間との間で力を伝達し、したがって、水中に伝達機構を配置することによってもたらされる潤滑媒体の漏出および材料の腐食に関する問題が回避される。
【００４１】
本発明が様々な実施形態に従って示されてきたことが、当業者には理解されよう。しかし、実施形態のそれぞれが独立した技術的解決法のみを含むということを意味するのではない。明細書の例示の方法は、単に明確にするためのものであって、明細書は、当業者により全体として理解されるべきである。本発明の保護範囲の理解のために、当業者は、各実施形態に関わる技術的解決法を互いに組み合わせて様々な実施形態を形成することができることを理解するであろう。
【００４２】
上記の説明は、本発明の説明に役立つ特定の実施形態にすぎず、本発明の範囲を限定することを意図したものではない。本発明の精神および原理から逸脱することなしにいかなる当業者によって作られるいかなる等価的な変形形態、修正形態、および組み合わせも、やはり本発明の保護範囲に含まれる。
【符号の説明】
【００４３】
１  プールの底部
２  水空間
３  基礎ピット
４  作動機構
５  舞台機構
６  昇降ロッド
７  第１の摺動スリーブ
８  第２の摺動スリーブ
９  第１の密閉組立体
１０  第２の密閉組立体
４１  鋼製案内フレーム
４２  案内フレーム
４３  駆動モータ
５１  プラットホーム本体
５２  支持フレーム
５３  案内デバイス
６１  スリーブ
７１  第１の摺動スリーブカバー
７２  第１のストッパ
７３  密閉パッド
７４  第１の密閉部材
８１  第２の摺動スリーブカバー
８２  第２のストッパ
８３  第２の密閉部材
８４  水抜き継手
９１  第１の基部
９２  第１の支持部材
９３  第１の位置決め部材
１０１  第２の基部
１０２  第２の支持部材
１０３  第２の位置決め部材
１０４  調整部材
１０５  位置決めブロック
１０６  位置決めボルト
８１１  引入口
【図１】
2014050683.tif 000003
【図２】
2014050683.tif 000004
【図３】
2014050683.tif 000005
【図４】
2014050683.tif 000006
【外国語明細書】
2014050683000001.pdf